(57)【要約】【課題】小型化が図れ、記録媒体の損傷を防止するとともに、位置ずれすることなくディスクを搬送可能なディスク装置を提供する。【解決手段】ディスク装置１００に、小径載置面５１Ｂ２を有するディスクトレイ５０と、小径ディスク２００を回動する台座部と、ターンテーブル２４と、記録再生手段とを設けた。また、小径載置面５１Ｂ２には、上方に突出し、小径ディスク２００が回動した際に小径ディスク２００の回動先端よりも端面部側の位置を支持する小径支持部５２と、小径ディスク２００の外縁に当接する小径位置決め部５３とを設けた。【選択図】図６
2009205725.tif 000002
【特許請求の範囲】
【請求項１】
シャーシと、
ディスク状の記録媒体を処理面が下方を向く状態で前記シャーシの内外に挿排するディスクトレイと、
このディスクトレイの下方における前記シャーシの挿入方向側に位置する一端側を中心にして、この一端側よりも排出方向側に位置する他端側が前記記録媒体に接離する方向に回動可能に設けられた台座部と、
この台座部の回動先端側に設けられ、前記記録媒体を着脱自在に保持するディスク保持部と、
前記台座部に設けられ、前記台座部の回動先端側と回動基端側との間で移動しつつ前記記録媒体に対する処理を実施する情報処理手段と、を具備し、
前記ディスクトレイは、
第１の前記記録媒体が面方向への移動が規制された状態で載置される大径ディスク載置面と、
この大径ディスク載置面の内部に設けられ、前記第１の記録媒体よりも径寸法が小さい第２の前記記録媒体が面方向への移動が規制された状態で載置される小径ディスク載置部と、
前記大径ディスク載置面の略中央から前記挿入方向側端部にかけて開口形成され、前記ディスク保持部を出没させるとともに前記情報処理手段を露出させるトレイ開口部と、を備え、
前記小径ディスク載置部は、
前記大径ディスク載置面よりも下方において前記第２の記録媒体が前記第１の記録媒体と同心状に載置される小径ディスク載置面と、
この小径ディスク載置面における前記排出方向側の位置から上方に突出し、前記台座部の回動に伴い前記第２の記録媒体が回動したときに前記第２の記録媒体の回動先端よりも回動基端側の位置を支持する小径ディスク支持部と、
前記第２の記録媒体における前記挿入方向側の外縁に当接する位置に設けられた小径ディスク位置決め部と、
を備えたことを特徴とするディスク装置。
【請求項２】
請求項１に記載のディスク装置において、
前記大径ディスク載置面には、凹状の凹部が形成され、
前記小径ディスク載置面は、前記凹部の底面であり、
前記小径ディスク位置決め部は、前記凹部の外周壁である
ことを特徴とするディスク装置。
【請求項３】
請求項１または請求項２に記載のディスク装置において、
前記小径ディスク支持部は、前記第２の記録媒体の外縁近傍を支持する位置に設けられた
ことを特徴とするディスク装置。
【請求項４】
請求項１ないし請求項３のいずれかに記載のディスク装置において、
前記小径ディスク支持部は、前記小径ディスク載置面の中央を含み前記挿入方向と平行な仮想線を中心とした略対称の位置に一対設けられた
ことを特徴とするディスク装置。
【発明の詳細な説明】
【技術分野】
【０００１】
ディスク状の記録媒体を搬送し、記録媒体に対して処理を実施するディスク装置に関する。
【背景技術】
【０００２】
従来、ディスク装置には、記録媒体を筐体の内外に搬送し、搬入された記録媒体を情報処理位置にて支持する構成が採られている（例えば、特許文献１参照）。
【０００３】
特許文献１に記載のものは、大型ディスクの載置面および小型ディスクの載置面が設けられたトレイと、ディスクを載置するターンテーブルが設けられ回動するメインシャーシとを備えている。小型ディスクの載置面は、大型ディスクの載置面よりも一段下がった状態に設けられている。トレイを水平姿勢としたときに、大型ディスクの載置面および小型ディスクの載置面は、トレイの前側が後側よりも下方に位置するように傾斜した構成が採られている。
【０００４】
【特許文献１】特開２００３−１４１８４９号公報（図４、図７および図８）
【発明の開示】
【発明が解決しようとする課題】
【０００５】
ところで、特許文献１に記載のものでは、小型ディスク（小径ディスク）をターンテーブルから取り外す際、小径ディスクが載置面に向かう方向にメインシャーシを回動させる。そして、小径ディスクが載置面に当接してターンテーブルから外れ、大型ディスクの載置面と小径ディスクの載置面との段差部分で小径ディスクが位置決めされる。しかし、小径ディスクは載置面に当接した際の衝撃により振動し、小径ディスクが振動した状態でトレイの搬出動作が始まると、段差部分で小径ディスクが位置決めされず載置面から位置ずれし、段差部分で小径ディスクの処理面が損傷するおそれがある。
そして、近年では、ディスク装置の薄型化により、トレイが薄型化され段差部分の高さ寸法が小さい状態で設けられている。この状態で、小径ディスク載置面の中央部が反って浮き上がると、その浮き上がりにより小径ディスクが位置決めされ、段差部分とディスクとの係合度合が減少する場合がある。また、載置面にはピックアップを露出させる開口が段差部分にも形成されているため、段差部分と小径ディスクとの係合範囲が少なくなっている。また、小径ディスクを搬送する際、トレイが振動すると小径ディスクが段差部分で十分に係合されず位置決めされない場合がある。これらの場合、トレイの搬送動作の際、上述と同様に小径ディスクが位置決めされず損傷するおそれがある。
【０００６】
本発明は、薄型化が図れ、記録媒体の損傷を防止するとともに、位置ずれすることなくディスクを搬送可能なディスク装置を提供することを一つの目的としている。
【課題を解決するための手段】
【０００７】
請求項１に記載の発明は、シャーシと、ディスク状の記録媒体を処理面が下方を向く状態で前記シャーシの内外に挿排するディスクトレイと、このディスクトレイの下方における前記シャーシの挿入方向側に位置する一端側を中心にして、この一端側よりも排出方向側に位置する他端側が前記記録媒体に接離する方向に回動可能に設けられた台座部と、この台座部の回動先端側に設けられ、前記記録媒体を着脱自在に保持するディスク保持部と、前記台座部に設けられ、前記台座部の回動先端側と回動基端側との間で移動しつつ前記記録媒体に対する処理を実施する情報処理手段と、を具備し、前記ディスクトレイは、第１の前記記録媒体が面方向への移動が規制された状態で載置される大径ディスク載置面と、この大径ディスク載置面の内部に設けられ、前記第１の記録媒体よりも径寸法が小さい第２の前記記録媒体が面方向への移動が規制された状態で載置される小径ディスク載置部と、前記大径ディスク載置面の略中央から前記挿入方向側端部にかけて開口形成され、前記ディスク保持部を出没させるとともに前記情報処理手段を露出させるトレイ開口部と、を備え、前記小径ディスク載置部は、前記大径ディスク載置面よりも下方において前記第２の記録媒体が前記第１の記録媒体と同心状に載置される小径ディスク載置面と、この小径ディスク載置面における前記排出方向側の位置から上方に突出し、前記台座部の回動に伴い前記第２の記録媒体が回動したときに前記第２の記録媒体の回動先端よりも回動基端側の位置を支持する小径ディスク支持部と、前記第２の記録媒体における前記挿入方向側の外縁に当接する位置に設けられた小径ディスク位置決め部と、を備えたことを特徴とするディスク装置である。
【発明を実施するための最良の形態】
【０００８】
以下、本発明の一実施形態を図面に基づいて説明する。
本実施形態では、ディスク状記録媒体としてのディスクに情報を記録および読み出すディスク装置を例示して説明する。なお、例えば携帯型のディスク装置を備えた映像データの録画などの記録や再生のための処理をする再生装置、記録装置あるいはゲーム機など、光ディスクに限らず、磁気ディスク、光磁気ディスクなどのいずれの記録媒体に各種情報を記録、あるいは読み出すいずれのディスク装置を対象とすることができる。また、記録媒体としては、ＣＤ（Compact Disc）、ＤＶＤ（Digital Versatile Disc）、ＢＤ（Blue-ray Disc：ブルーレイディスク）、ＨＤ−ＤＶＤ（High Definition DVD）などが例示できる。ディスクとしては、小径ディスクおよび大径ディスクを利用することができる。小径ディスクとしては、例えば、８ｃｍのディスクが挙げられる。
【０００９】
［ディスク装置の構成］
まず、本発明の一実施形態に係るディスク装置の全体の構成について説明する。
図１は、本発明の一実施形態に係るディスク装置の全体の概略構成を示す分解斜視図である。図２は、ディスク装置のシャーシとディスクトレイとの関係を示す平面図である。
図１において、ディスク装置１００は、いわゆる横置きタイプのディスク装置であり、金属製のケース体１０を有している。このケース体１０は、下面および前面が２面に亘って開口する上ケース１１と、この上ケース１１の下面を閉塞する下ケース１２と、上ケース１１の前面を閉塞し窓部１３Ａが開口形成された化粧板１３とを有している。
【００１０】
また、ケース体１０には、合成樹脂製のシャーシ１５が設けられている。このシャーシ１５は、上ケース１１、下ケース１２および化粧板１３とにてケース体１０を構成する。そして、シャーシ１５は、上ケース１１の側板部の内面に密着する側面部１５Ａと、上ケース１１の端板部の内面に密着する端面部１５Ｂと、側面部１５Ａおよび端面部１５Ｂの内面側に内方に向けて突出する支持リブ１５Ｃと、側面部１５Ａの前面側の端部に架橋するように設けられた開閉駆動配設部１５Ｄとを有し、軸方向の両端面を開口する略長方形枠状に形成されている。
【００１１】
また、シャーシ１５には、このシャーシ１５の開口面を略閉塞する状態で固定されるクランパ支持部材１７が設けられている。このクランパ支持部材１７には、後述の回転駆動手段２３のターンテーブル２４とともに小径ディスク２００を挟持可能なクランパ２５が設けられている。
【００１２】
シャーシ１５には、本体部２０が配設されている。この本体部２０は、例えば金属製の平板枠状に形成された台座部２１を有している。この台座部２１は、一縁が上下方向に回動可能に他縁がシャーシ１５の支持リブ１５Ｃに取り付けられている。具体的には、台座部２１の他縁は、フロートゴム２１１を介して支持リブ１５Ｃに取り付けられている。
また、シャーシ１５と台座部２１との間には、図２に示すように、台座部２１の一縁に沿ってフロートベース２２が取り付けられている。このフロートベース２２は、台座部２１の一縁に沿った長手状の取付保持部２２１と、この取付保持部２２１の長手方向の両端部に略垂直に一体的に突設された一対の回動腕部２２２とを有している。
取付保持部２２１には、台座部２１の一縁の両端側がフロートゴム２１１を介して取り付けられている。一対の回動腕部２２２には、それぞれその先端にシャーシ１５の支持リブ１５Ｃに回動可能に軸支される回動軸部２２２Ａが設けられている。そして、台座部２１は、フロートベース２２により回動が案内される。ここで、台座部２１の端面部１５Ｂ側の端部が回動基端である。
【００１３】
さらに、図１に示すように、台座部２１には、回動する一縁側に位置して回転駆動手段２３が配設されている。この回転駆動手段２３は、小径ディスク２００の中心孔２０１に係脱可能に係合するディスク保持部としてのターンテーブル２４を有している。
また、台座部２１には処理移動手段３０が配設されている。この処理移動手段３０は、一対のシャフト３１および移動用電動モータ３２を備えている。
さらに、処理移動手段３０には、情報処理手段としての記録再生手段３５が配設されている。この記録再生手段３５は、一対のシャフト３１に架橋する状態で保持された移動保持部３６を有している。また、移動保持部３６には、ピックアップ３７が配設されている。
【００１４】
そして、シャーシ１５には、支持リブ１５Ｃの上方側で水平方向に進退可能に移動するディスクトレイ５０が配設されている。このディスクトレイ５０は、略長方形板状に形成され、小径ディスク２００が載置されるトレイ部５１を有している。
トレイ部５１は凹状に形成された大径載置凹部を有する。この大径載置凹部の底面は、中心孔３０１を有する大径ディスク３００を載置可能な大径ディスク載置面としての大径載置面５１Ａである。この大径載置面５１Ａの略中央には、凹状に小径ディスク載置部としての小径載置凹部５１Ｂが形成されている。この小径載置凹部５１Ｂには、外周壁５１Ｂ１と底面の小径ディスク載置面としての小径載置面５１Ｂ２とが設けられている。小径載置面５１Ｂ２は、大径載置面５１Ａよりも一段下がって形成されている。小径載置面５１Ｂ２は、面方向が水平方向と一致する状態で小径ディスク２００を載置可能である。
小径載置凹部５１Ｂには、小径載置面５１Ｂ２の略中央から挿入方向側、すなわち、端面部１５Ｂ側端部にかけて開口部５１Ｃが形成されている。この開口部５１Ｃは、ターンテーブル２４を出没させるとともに、記録再生手段３５を露出させる。
【００１５】
小径載置面５１Ｂ２には、小径ディスク２００の回動先端よりも端面部１５Ｂ側に対応する位置に、小径ディスク支持部としての一対の小径支持部５２が上方に向かって突設されている。具体的には、一対の小径支持部５２は、小径載置面５１Ｂ２の中央を含みディスクトレイ５０の挿入方向と平行な仮想線Ｃを中心とした略対称の位置に設けられている。これら小径支持部５２は、小径ディスク２００の処理面の外周側である外縁近傍に当接して小径ディスク２００を支持する。なお、この小径支持部５２の先端には、小径ディスク２００に当接する当接面を有していてもよい。これにより、小径支持部５２が点接触にて小径ディスク２００を支持する場合よりも安定性が向上する。
また、小径載置凹部５１Ｂの外周壁５１Ｂ１の端面部１５Ｂ側は、小径支持部５２に支持された小径ディスク２００の外縁が当接する小径ディスク位置決め部としての小径位置決め部５３である。小径位置決め部５３および小径支持部５２は、小径ディスク２００を傾斜して支持する。
【００１６】
また、シャーシ１５の開閉駆動配設部１５Ｄには、ディスクトレイ５０を進退移動させる開閉駆動手段６０が配設されている。この開閉駆動手段６０は、ギヤ、プーリ、無端ベルトなどを備えた駆動伝達部６１と、モータとしての出入用電動モータ６３と、を備えている。そして、開閉駆動手段６０は、出入用電動モータ６３の駆動により、駆動伝達部６１を介してディスクトレイ５０をシャーシ１５の内外に進退させる。
また、開閉駆動手段６０は、シャーシ１５の開閉駆動配設部１５Ｄに側面部１５Ａの対向方向に沿って移動可能に配設された移動カム６８を有している。この移動カム６８には、フロートベース２２の図示しない係合ピンに係合するリンク溝が設けられている。そして、移動カム６８は、出入用電動モータ６３が駆動して駆動伝達部６１が駆動するとシャーシ１５の幅方向に沿って移動し、係合ピンをリンク溝に沿って移動させることで台座部２１を上下方向に回動させる。また、シャーシ１５には、回路基板７０が係脱可能に取り付けられている。
【００１７】
［ディスク装置の小径ディスクの搬出動作］
次に、上記実施の一形態におけるディスク装置１００の小径ディスク２００の搬出状態を図３ないし図７を参照して説明する。図３は、ディスクトレイの第１の搬出状態を示す断面図である。図４は、ディスクトレイの第２の搬出状態を示す断面図である。図５は、ディスクトレイの第３の搬出状態を示す断面図である。図６は、ディスクトレイの第４の搬出状態を示す断面図である。図７は、ディスクトレイの第５の搬出状態を示す断面図である。
【００１８】
図３に示すように、ディスク装置１００において、小径ディスク２００の搬出動作に移行する前では、小径ディスク２００はターンテーブル２４に係合保持されている。
回路基板７０の制御部が、開閉駆動手段６０の出入用電動モータ６３を駆動させる。この出入用電動モータ６３の駆動により、駆動伝達部６１が回転駆動し、移動カム６８が図２の右方向に移動する。そして、図４に示すように、本体部２０が下側に回動し、回動途中で小径支持部５２が小径ディスク２００の下面の外縁に当接する。この小径支持部５２の当接により、図５に示すように、小径ディスク２００はターンテーブル２４から取り外される。そして、小径支持部５２が支点となり、小径ディスク２００の端面部１５Ｂ側の外縁が小径載置面５１Ｂ２に向かって落下する。小径ディスク２００の端面部１５Ｂ側の外縁は、図６に示すように、外周壁５１Ｂ１である小径位置決め部５３に当接する。
この際、小径ディスク２００の小径位置決め部５３に当接する外縁から小径支持部５２との当接部分までの長さ寸法は、小径ディスク２００の先端が小径載置面５１Ｂ２に直接当接して小径ディスク２００が取り外される場合での小径位置決め部５３に当接する外縁から先端との当接部分までの長さ寸法よりも小さい。このため、小径ディスク２００の振動が少なくなる。
そして、小径ディスク２００は小径支持部５２および小径位置決め部５３にて傾斜する。次に、図７に示すように、ディスクトレイ５０がシャーシ１５から進出し、小径ディスク２００が外部に搬送される。この際、小径ディスク２００が傾斜しているので、自重が小径位置決め部５３に大きくかかり、小径位置決め部５３にて小径ディスク２００は位置決めされる。
【００１９】
[ディスク装置の作用効果]
以上のディスク装置１００によれば、以下の作用効果が期待される。
【００２０】
（１）ディスク装置１００に、小径ディスク２００が載置される小径載置面５１Ｂ２を有するディスクトレイ５０と、回動軸部２２２Ａの回動により小径ディスク２００に接離する方向に移動する台座部２１と、小径ディスク２００を着脱自在に保持するターンテーブル２４と、小径ディスク２００に対する記録再生処理を実施する記録再生手段３５と、を設けている。また、小径載置面５１Ｂ２には、上方に突出し、小径ディスク２００が回動した際に小径ディスク２００の回動先端よりも端面部１５Ｂ側の位置を支持する小径支持部５２と、小径ディスク２００における端面部１５Ｂ側の外縁に当接する小径位置決め部５３と、を設けている。
ターンテーブル２４の回動途中で、小径ディスク２００は回動先端よりも端面部１５Ｂ側の位置で小径支持部５２に当接する。このため、小径ディスク２００の小径支持部５２との当接部分から小径位置決め部５３に当接する外縁までの長さ寸法が比較的に小さいので、小径ディスク２００の振動が少なくなる。したがって、小径ディスク２００が小径載置面５１Ｂ２から位置ずれすることがなく、ディスクトレイ５０の搬出動作の際に、損傷することがない。
また、小径支持部５２および小径位置決め部５３にて小径ディスク２００が傾斜するので、小径ディスク２００の自重が小径位置決め部５３に大きくかかる。したがって、大径載置面５１Ａと小径載置凹部５１Ｂとの段差部分である外周壁５１Ｂ１の高さ寸法が小さい場合や外周壁５１Ｂ１に開口部５１Ｃが形成される場合やディスクトレイ５０が振動して搬送動作を行う場合にも、小径位置決め部５３と小径ディスク２００の外縁との係合度合が大きくなり、小径ディスク２００が位置ずれすることがない。よって、ディスク装置１００の薄型化を図りつつ、小径ディスク２００の損傷を防止するとともに、位置ずれすることなく小径ディスク２００を搬送することができる。
【００２１】
（２）また、大径載置面５１Ａに、凹状の小径載置凹部５１Ｂを形成し、小径載置凹部５１Ｂの小径載置面５１Ｂ２に、小径支持部５２を突設させ、小径載置凹部５１Ｂにおける外周壁５１Ｂ１の端面部１５Ｂ側は、小径位置決め部５３である。
このため、小径載置凹部５１Ｂは一般的な形状なので、小径載置凹部５１Ｂの外周壁５１Ｂ１を小径位置決め部５３として利用し、小径載置面５１Ｂ２に小径支持部５２を設ければよい。したがって、一般的な小径載置凹部５１Ｂの設計変更を少なくすることができ、製造性が向上する。
【００２２】
（３）さらに、小径ディスク２００の処理面の外周側である外縁近傍に小径支持部５２を当接させて小径ディスク２００を支持させる。
このため、処理面の記録再生領域と異なる部分に当接するので、処理面の記録再生領域の損傷を防止することができる。
【００２３】
（４）そして、小径支持部５２は、小径載置面５１Ｂ２の中央を含みディスクトレイ５０の挿入方向と平行な仮想線Ｃを中心とした略対称の位置に一対設けている。
このため、小径支持部５２が一つ設けられている場合や非対称位置に設けられている場合と比較して、小径ディスク２００の振動を抑えて、安定して支持することができる。
【００２４】
［他の実施形態］
なお、本発明は前述の一実施形態に限定されるものではなく、本発明の目的を達成できる範囲での変形、改良等は本発明に含まれるものである。
【００２５】
すなわち、小径載置凹部５１Ｂは水平方向に延びる構成を示したが、これに限られない。例えば、小径支持部５２側の底面より小径位置決め部５３側の底面が下方となる状態に小径載置面５１Ｂ２が傾斜してもよい。
さらに、小径支持部５２は、小径載置凹部５１Ｂにおける、小径ディスク２００の外縁近傍を支持する位置に設けられる構成を示したが、これに限られず、小径載置面５１Ｂ２の略中央に設けられていてもよい。
そして、小径位置決め部５３は、外周壁５１Ｂ１がある構成を示したが、これに限られず、外周壁５１Ｂ１と異なる部分に新たに設けられていてもよい。
そして、小径支持部５２小径載置面５１Ｂ２の中央を含みディスクトレイ５０の挿入方向と平行な仮想線Ｃを中心とした略対称の位置に一対設けられている構成を示したが、これに限られない。例えば、小径支持部５２は、仮想線Ｃを中心とした非対称位置に設けられていてもよく、ひとつまたは３つ以上設けられていてもよい。
【００２６】
［実施形態の作用効果］
ディスク装置１００に、小径載置面５１Ｂ２を有するディスクトレイ５０と、小径ディスク２００を回動する台座部２１と、ターンテーブル２４と、記録再生手段３５と、を設けている。また、小径載置面５１Ｂ２には、上方に突出し、小径ディスク２００が回動した際に小径ディスク２００の回動先端よりも端面部１５Ｂ側の位置を支持する小径支持部５２と、小径ディスク２００の外縁に当接する小径位置決め部５３と、が設けている。
ターンテーブル２４の回動途中で、小径ディスク２００は回動先端よりも端面部１５Ｂ側の位置で小径支持部５２に当接する。このため、小径ディスク２００の振動が少なくなる。したがって、小径ディスク２００が小径載置面５１Ｂ２から位置ずれすることがなく、ディスクトレイ５０の搬出動作の際に、損傷することがない。
また、小径支持部５２および小径位置決め部５３にて小径ディスク２００が傾斜するので、小径ディスク２００の自重が小径位置決め部５３に大きくかかる。したがって、大径載置面５１Ａと小径載置凹部５１Ｂとの段差部分である外周壁５１Ｂ１の高さ寸法が小さい場合や外周壁５１Ｂ１に開口部５１Ｃが形成される場合やディスクトレイ５０が振動して搬送動作を行う場合にも、小径ディスク２００が位置ずれすることがない。
【図面の簡単な説明】
【００２７】
【図１】本発明の一実施形態に係るディスク装置の概略構成を示す分解斜視図。
【図２】前記実施形態におけるディスク装置のシャーシとディスクトレイとの関係を示す平面図。
【図３】ディスクトレイの第１の搬出状態を示す断面図。
【図４】ディスクトレイの第２の搬出状態を示す断面図。
【図５】ディスクトレイの第３の搬出状態を示す断面図。
【図６】ディスクトレイの第４の搬出状態を示す断面図。
【図７】ディスクトレイの第５の搬出状態を示す断面図。
【符号の説明】
【００２８】
１５………シャーシ
２１………台座部
２４………ディスク保持部としてのターンテーブル
３５………情報処理手段としての記録再生手段
５０………ディスクトレイ
５１Ａ……大径ディスク載置面としての大径載置面
５１Ｂ……小径ディスク載置部としての小径載置凹部
５１Ｂ１…外周壁
５１Ｂ２…小径ディスク載置面としての小径載置面
５２………小径ディスク支持部としての小径支持部
５３………小径ディスク位置決め部としての小径位置決め部
１００……ディスク装置
２００……記録媒体としての小径ディスク
【図１】
2009205725.tif 000003
【図２】
2009205725.tif 000004
【図３】
2009205725.tif 000005
【図４】
2009205725.tif 000006
【図５】
2009205725.tif 000007
【図６】
2009205725.tif 000008
【図７】
2009205725.tif 000009